(57)【特許請求の範囲】
【請求項１】
誘電体基板と、
前記誘電体基板の第１面および第２面にそれぞれ設けられたグランド導体と、
前記誘電体基板の内部に設けられた線状導体を有する第１の共振器と、
前記誘電体基板の内部に設けられた線状導体を有する第２の共振器と、
前記第１の共振器および前記第２の共振器と外部回路とを接続し、前記第１の共振器と前記第２の共振器が並列接続された第１の入出力線路および第２の入出力線路と、を備えた帯域通過フィルタであって、
前記第１の共振器は、その線状導体の両端が開放され、
前記第２の共振器は、その線状導体の両端を前記誘電体基板の第１面と第２面のうち一方の前記グランド導体にそれぞれ接続する一対の第１ビアを備え、
前記第１の入出力線路は、前記誘電体基板の第１面と第２面のうち前記第１ビアとは異なる他方の前記グランド導体に接続する第２ビアを備え、
前記第２の入出力線路は、前記誘電体基板の第１面と第２面のうち前記第１ビアとは異なる他方の前記グランド導体に接続する他の第２ビアを備えたことを特徴とする帯域通過フィルタ。
【請求項２】
前記誘電体基板の内部に設けられた線状導体を有し、前記第２の共振器に結合される第３の共振器を備え、
前記第３の共振器は、その線状導体の両端を前記誘電体基板の第１面と第２面のうち前記第１ビアとは異なる他方の前記グランド導体にそれぞれ接続する一対の第３ビアを備えたことを特徴とする請求項１に記載の帯域通過フィルタ。
【請求項３】
前記第１の共振器と前記第２の共振器との間に位置して前記誘電体基板を厚さ方向に貫通し、前記誘電体基板の第１面のグランド導体と前記誘電体基板の第２面のグランド導体とを接続する貫通ビアを備えたことを特徴とする請求項１または２に記載の帯域通過フィルタ。
【請求項４】
前記第２の共振器の線状導体と前記第１の入出力線路および前記第２の入出力線路とは、前記誘電体基板の厚さ方向に絶縁層を介して重なり合っていることを特徴とする請求項１ないし３のいずれかに記載の帯域通過フィルタ。
【請求項５】
前記第２の共振器の線状導体と前記第１の入出力線路および前記第２の入出力線路とは、他の電極、導体、あるいは線路を介することなく直接的に重なり合っていることを特徴とする請求項４に記載の帯域通過フィルタ。
【請求項６】
前記第２の共振器の線状導体と前記第１の入出力線路および前記第２の入出力線路とは、他の電極、導体、あるいは線路を介して間接的に重なり合っていることを特徴とする請求項４に記載の帯域通過フィルタ。
【請求項７】
誘電体基板と、
前記誘電体基板の第１面および第２面にそれぞれ設けられたグランド導体と、
前記誘電体基板の内部に設けられた線状導体を有する第１の共振器と、
前記誘電体基板の内部に設けられた線状導体を有し、前記第１の共振器と結合する第２の共振器と、を備えた帯域通過フィルタであって、
前記第１の共振器は、その線状導体の両端を前記誘電体基板の第１面の前記グランド導体にそれぞれ接続する一対の第１面側ビアを備え、
前記第２の共振器は、その線状導体の両端を前記誘電体基板の第２面の前記グランド導体にそれぞれ接続する一対の第２面側ビアを備えたことを特徴とする帯域通過フィルタ。
【請求項８】
誘電体基板と、
前記誘電体基板の第１面および第２面にそれぞれ設けられたグランド導体と、
前記誘電体基板の内部に設けられた線状導体を有する第１の共振器と、
前記誘電体基板の内部に設けられた線状導体を有し、前記第１の共振器と結合する第２の共振器と、を備えた帯域通過フィルタであって、
前記第１の共振器は、その線状導体の第１端を前記誘電体基板の第１面の前記グランド導体に接続する第１面側ビアと、その線状導体の第２端を前記誘電体基板の第２面の前記グランド導体に接続する第２面側ビアと、を備え、
前記第２の共振器は、その線状導体の第１端を前記誘電体基板の第２面の前記グランド導体に接続する他の第２面側ビアと、その線状導体の第２端を前記誘電体基板の第１面の前記グランド導体に接続する他の第１面側ビアと、を備えたことを特徴とする帯域通過フィルタ。
【請求項９】
前記第１の共振器および前記第２の共振器と外部回路とを接続し、前記第１の共振器と前記第２の共振器が直列接続された第１の入出力線路および第２の入出力線路を備えたことを特徴とする請求項７または８に記載の帯域通過フィルタ。
【請求項１０】
前記第１の入出力線路は、一方の線路側ビアによって前記誘電体基板の第２面の前記グランド導体に接続され、前記第１の共振器の線状導体に結合され、
前記第２の入出力線路は、他方の線路側ビアによって前記誘電体基板の第１面の前記グランド導体に接続され、前記第２の共振器の線状導体に結合されたことを特徴とする請求項９に記載の帯域通過フィルタ。
【請求項１１】
前記第１の入出力線路は、前記第１の共振器の線状導体に直接的に接続され、
前記第２の入出力線路は、前記第２の共振器の線状導体に直接的に接続されたことを特徴とする請求項９に記載の帯域通過フィルタ。
【請求項１２】
前記請求項１ないし１１のいずれかに記載の帯域通過フィルタを備えた通信装置。
【請求項１３】
誘電体基板と、
前記誘電体基板の第１面および第２面にそれぞれ設けられたグランド導体と、
前記誘電体基板に設けられた第１の入出力線路および第２の入出力線路と、を備えた共振器であって、
前記誘電体基板の内部に設けられた線状導体と、前記線状導体の両端を前記誘電体基板の第１面および第２面のうち一方の前記グランド導体にそれぞれ接続する一対の第１ビアと、を備え、
前記第１の入出力線路は、前記誘電体基板の第１面と第２面のうち前記第１ビアとは異なる他方の前記グランド導体に接続する第２ビアを備え、
前記第２の入出力線路は、前記誘電体基板の第１面と第２面のうち前記第１ビアとは異なる他方の前記グランド導体に接続する他の第２ビアを備えたことを特徴とする共振器。
【発明の詳細な説明】
【技術分野】
【０００１】
本開示は、例えばマイクロ波、ミリ波等の高周波の電磁波（高周波信号）に用いて好適な帯域通過フィルタ、通信装置および共振器に関する。
【背景技術】
【０００２】
線状導体からなる共振器を備え、所望の帯域の高周波信号を通過させる帯域通過フィルタが知られている。非特許文献１には、複数の共振器を並列に結合させた共振器並列結合フィルタが開示されている。共振器並列結合フィルタは、２つの共振器が一対の入出力線路の間に並列に接続されている。このとき、２つの共振器は、互いに位相を反転させる必要がある。非特許文献１に開示された共振器並列結合フィルタは、両端が開放された奇モード共振器と、両端がグランドに短絡された偶モード共振器とを備え、これらの奇モード共振器と偶モード共振器とが一対の入出力線路の間に並列に接続されている。
【先行技術文献】
【非特許文献】
【０００３】
【非特許文献１】M.Ohira, T.Kato and Z.Ma, “A novel microstrip filter structure consisting of transversal resonator array and its fully canonical bandpass filter design”, 2015 IEEE MTT-S Int. Microwave Symp.(IMS 2015), Phoenix, AZ, May 2015.
【発明の概要】
【０００４】
ところで、共振器並列結合フィルタは、比帯域幅が５％以下となった狭帯域フィルタでの適用例がある。しかしながら、比帯域幅が５％を超える共振器並列結合フィルタは、実現されていない。その理由は、偶モード共振器の外部Ｑ、結合係数を、比帯域幅が５％を超えるフィルタに必要となる値にすることができないためである。このような課題は、偶モード共振器を直列に接続した共振器直列結合フィルタでも生じる。
【０００５】
本発明の一実施形態の目的は、比帯域幅を広げることが可能な帯域通過フィルタ、通信装置および共振器を提供することにある。
【０００６】
本発明の一実施形態は、誘電体基板と、前記誘電体基板の第１面および第２面にそれぞれ設けられたグランド導体と、前記誘電体基板の内部に設けられた線状導体を有する第１の共振器と、前記誘電体基板の内部に設けられた線状導体を有する第２の共振器と、前記第１の共振器および前記第２の共振器と外部回路とを接続し、前記第１の共振器と前記第２の共振器が並列接続された第１の入出力線路および第２の入出力線路と、を備えた帯域通過フィルタであって、前記第１の共振器は、その線状導体の両端が開放され、前記第２の共振器は、その線状導体の両端を前記誘電体基板の第１面と第２面のうち一方の前記グランド導体にそれぞれ接続する一対の第１ビアを備え、前記第１の入出力線路は、前記誘電体基板の第１面と第２面のうち前記第１ビアとは異なる他方の前記グランド導体に接続する第２ビアを備え、前記第２の入出力線路は、前記誘電体基板の第１面と第２面のうち前記第１ビアとは異なる他方の前記グランド導体に接続する他の第２ビアを備えたことを特徴としている。
【０００７】
本発明の一実施形態は、誘電体基板と、前記誘電体基板の第１面および第２面にそれぞれ設けられたグランド導体と、前記誘電体基板の内部に設けられた線状導体を有する第１の共振器と、前記誘電体基板の内部に設けられた線状導体を有し、前記第１の共振器と結合する第２の共振器と、を備えた帯域通過フィルタであって、前記第１の共振器は、その線状導体の両端を前記誘電体基板の第１面の前記グランド導体にそれぞれ接続する一対の第１面側ビアを備え、前記第２の共振器は、その線状導体の両端を前記誘電体基板の第２面の前記グランド導体にそれぞれ接続する一対の第２面側ビアを備えたことを特徴としている。
【０００８】
本発明の一実施形態は、誘電体基板と、前記誘電体基板の第１面および第２面にそれぞれ設けられたグランド導体と、前記誘電体基板の内部に設けられた線状導体を有する第１の共振器と、前記誘電体基板の内部に設けられた線状導体を有し、前記第１の共振器と結合する第２の共振器と、を備えた帯域通過フィルタであって、前記第１の共振器は、その線状導体の第１端を前記誘電体基板の第１面の前記グランド導体に接続する第１面側ビアと、その線状導体の第２端を前記誘電体基板の第２面の前記グランド導体に接続する第２面側ビアと、を備え、前記第２の共振器は、その線状導体の第１端を前記誘電体基板の第２面の前記グランド導体に接続する他の第２面側ビアと、その線状導体の第２端を前記誘電体基板の第１面の前記グランド導体に接続する他の第１面側ビアと、を備えたことを特徴としている。
【０００９】
本発明の一実施形態によれば、帯域通過フィルタの比帯域幅を広げることができる。
【図面の簡単な説明】
【００１０】
【図１】本発明の第１の実施形態による帯域通過フィルタを示す斜視図である。
【図２】図１中の帯域通過フィルタを示す平面図である。
【図３】帯域通過フィルタを図２中の矢示III−III方向からみた断面図である。
【図４】帯域通過フィルタを図２中の矢示IV−IV方向からみた断面図である。
【図５】共振器のビアと入出力線路のビアが逆方向となった場合の計算モデルを示す平面図である。
【図６】図５中の計算モデルを矢示VI−VI方向からみた断面図である。
【図７】共振器のビアと入出力線路のビアが同方向となった場合の計算モデルを示す図６と同様位置の断面図である。
【図８】共振器と入出力線路との間の隙間と外部Ｑとの関係を示す特性線図である。
【図９】第１の変形例による計算モデルを示す図６と同様位置の断面図である。
【図１０】第２の変形例による計算モデルを示す図６と同様位置の断面図である。
【図１１】第１の実施形態による帯域通過フィルタについて、透過係数と反射係数の周波数特性を示す特性線図である。
【図１２】本発明の第２の実施形態による帯域通過フィルタを示す斜視図である。
【図１３】第２の実施形態による帯域通過フィルタについて、透過係数の周波数特性を示す特性線図である。
【図１４】本発明の第３の実施形態による帯域通過フィルタを示す斜視図である。
【図１５】図１４中の帯域通過フィルタを示す平面図である。
【図１６】帯域通過フィルタを図１５中の矢示XVI−XVI方向からみた断面図である。
【図１７】帯域通過フィルタを図１５中の矢示XVII−XVII方向からみた断面図である。
【図１８】互いに結合する２つの共振器のビアが逆方向となった場合の計算モデルを示す斜視図である。
【図１９】互いに結合する２つの共振器のビアが同方向となった場合の計算モデルを示す斜視図である。
【図２０】２つの共振器間の隙間と結合係数との関係を示す特性線図である。
【図２１】第３の実施形態による帯域通過フィルタについて、透過係数と反射係数の周波数特性を示す特性線図である。
【図２２】本発明の第４の実施形態による帯域通過フィルタを示す斜視図である。
【図２３】第３の変形例による帯域通過フィルタを示す斜視図である。
【図２４】本発明の第５の実施形態による帯域通過フィルタを示す斜視図である。
【図２５】本発明の第６の実施形態による通信装置を示すブロック図である。
【発明を実施するための形態】
【００１１】
以下、本発明の実施形態による帯域通過フィルタ、通信装置および共振器を、添付図面を参照しつつ詳細に説明する。
【００１２】
図１ないし図４は本発明の第１の実施形態による帯域通過フィルタ１を示している。帯域通過フィルタ１は、誘電体基板２、グランド導体６，７、共振器８，１０、入出力線路１３，１４を備えている。
【００１３】
誘電体基板２は、互いに直交するＸ軸方向、Ｙ軸方向およびＺ軸方向のうち例えばＸ軸方向およびＹ軸方向に対して平行に広がる平板状に形成されている。誘電体基板２は、例えば低温同時焼成セラミックス多層基板（ＬＴＣＣ多層基板）によって形成されている。誘電体基板２は、第１の主面となる第１面２Ａから第２の主面となる第２面２Ｂに向けてＺ軸方向に積層した３層の絶縁層３〜５（図３、図４参照）を有している。各絶縁層３〜５は、１０００℃以下の低温で焼成可能な絶縁性のセラミックス材料からなり、薄い層状に形成されている。
【００１４】
なお、誘電体基板２は、ＬＴＣＣ多層基板に限らず、例えば樹脂材料からなる絶縁層を積層した多層基板でもよい。誘電体基板２は、より低い誘電率を有する液晶ポリマー（Liquid  Crystal  Polymer：ＬＣＰ）から構成される樹脂層を複数積層して形成された多層樹脂基板でもよい。誘電体基板２は、フッ素系樹脂から構成される樹脂層を複数積層して形成された多層樹脂基板でもよい。誘電体基板２は、ＬＴＣＣ多層基板以外のセラミックス多層基板でもよい。さらに、誘電体基板２は、可撓性を有するフレキシブル基板でもよく、熱可塑性を有するリジッド基板でもよい。
【００１５】
グランド導体６，７は、例えば銅、銀等の導電性金属材料を用いて形成されている。なお、グランド導体６，７は、アルミニウム、金またはこれらの合金を主成分とする金属材料によって形成してもよい。グランド導体６は、誘電体基板２の第１面２Ａに設けられている。グランド導体７は、誘電体基板２の第２面２Ｂに設けられている。グランド導体６，７は、外部のグランドに接続される。グランド導体６，７は、誘電体基板２の全面を覆っている。
【００１６】
共振器８は、誘電体基板２の内部に設けられている（図１〜図４参照）。共振器８は、第１の共振器である。共振器８は、線状導体９を有している。線状導体９は、絶縁層３と絶縁層４との間に位置して、長さ方向となるＸ軸方向に延びた細長い帯状に形成されている。図２に示すように、線状導体９のＸ軸方向の長さ寸法Ｄ11は、例えば第１の共振周波数に対応した誘電体基板２内の波長の１／２に設定されている。線状導体９の第１端９Ａは、Ｘ軸方向の第１端側に位置して、絶縁層３，４によって覆われている。線状導体９の第２端９Ｂは、Ｘ軸方向の第２端側に位置して、絶縁層３，４によって覆われている。線状導体９の第１端９Ａおよび第２端９Ｂは、開放されている。これにより、共振器８は、半波長共振器かつ奇モード共振器を構成している。
【００１７】
なお、奇モード共振器とは、両端が開放され、共振器の長さが共振周波数で決まる波長の１／２であり、電圧が中心で０になり、入力端と出力端で極性が異なる共振器をいう。偶モード共振器とは、両端が短絡され、共振器の長さが共振周波数で決まる波長の１／２であり、電圧が両端でゼロになり、電圧が中央で最大または最小となる共振器をいう。
【００１８】
共振器１０は、誘電体基板２の内部に設けられている（図１〜図４参照）。共振器１０は、第２の共振器である。共振器１０は、線状導体１１を有している。線状導体１１は、絶縁層３と絶縁層４との間に位置して、長さ方向となるＸ軸方向に延びた細長い帯状に形成されている。線状導体１１は、線状導体９とＹ軸方向に離間している。線状導体１１は、線状導体９と並行な状態で、Ｘ軸方向に延びている。
【００１９】
図２に示すように、線状導体１１のＸ軸方向の長さ寸法Ｄ12は、例えば第２の共振周波数に対応した誘電体基板２内の波長の１／２に設定されている。長さ寸法Ｄ12は、ビア１２Ａの中心からビア１２Ｂの中心までの長さ寸法である。なお、長さ寸法Ｄ12にビア１２Ａ，１２Ｂの高さ寸法を加えた寸法が、第２の共振周波数に対応した誘電体基板２内の波長の１／２に設定されてもよい。線状導体１１の長さ寸法Ｄ12は、線状導体９の長さ寸法Ｄ11と同じ値でもよく、異なる値でもよい。
【００２０】
線状導体１１の長さ寸法Ｄ12が線状導体９の長さ寸法Ｄ11よりも小さい場合には、偶モードの共振周波数よりも奇モードの共振周波数が低い。この場合、図１１に示すように、伝送零点（減衰極）の周波数は、通過帯域よりも高くなる。
【００２１】
一方、線状導体１１の長さ寸法Ｄ12が線状導体９の長さ寸法Ｄ11よりも大きい場合には、偶モードの共振周波数よりも奇モードの共振周波数が高い。この場合、伝送零点（減衰極）の周波数は、通過帯域よりも低くなる。
【００２２】
線状導体１１の第１端１１Ａは、Ｘ軸方向の第１端側に位置して、第１ビアとなるビア１２Ａによって誘電体基板２の第１面２Ａのグランド導体６に接続されている。線状導体１１の第２端１１Ｂは、Ｘ軸方向の第２端側に位置して、第１ビアとなるビア１２Ｂによって誘電体基板２の第１面２Ａのグランド導体６に接続されている。ビア１２Ａ，１２Ｂは、絶縁層３を貫通して誘電体基板２の厚さ方向（Ｚ軸方向）に延びる柱状の導体によって形成されている。線状導体１１の第１端１１Ａおよび第２端１１Ｂは、グランド導体６に短絡されている。これにより、共振器１０は、半波長共振器かつ偶モード共振器を構成している。
【００２３】
一対の入出力線路１３，１４は、２つの共振器８，１０と外部回路とを接続し、２つの共振器８，１０が並列接続されている（図１、図２参照）。入出力線路１３は、第１の入出力線路である。入出力線路１３は、Ｘ軸方向の第１端側に位置して、絶縁層４と絶縁層５との間に配置されている。入出力線路１４は、第２の入出力線路である。入出力線路１４は、Ｘ軸方向の第２端側に位置して、絶縁層４と絶縁層５との間に配置されている。
【００２４】
入出力線路１３は、２つの共振器８，１０の線状導体９，１１のうち第２端９Ｂ，１１Ｂよりも第１端９Ａ，１１Ａに近い位置に配置されている。入出力線路１３は、伝送線路部１３Ａ、第１結合部１３Ｂおよび第２結合部１３Ｃを備えている。伝送線路部１３Ａは、Ｘ軸方向に延びる細長い帯状に形成されている。第１結合部１３Ｂは、伝送線路部１３Ａから分岐して共振器８に向けて延び、絶縁層４を挟んで線状導体９の第１端９Ａと厚さ方向で対向している。第１結合部１３Ｂは、線状導体９の第１端９Ａに結合されている。このとき、入出力線路１３の第１結合部１３Ｂと線状導体９の第１端９Ａとの結合は、容量結合が支配的である。
【００２５】
第２結合部１３Ｃは、伝送線路部１３Ａから分岐して共振器１０に向けて延び、線状導体９の第１端９Ａよりも線状導体１１の第１端１１Ａに近い位置に配置されている。第２結合部１３Ｃは、第２ビアとなるビア１５Ａによって、誘電体基板２の第２面２Ｂのグランド導体７に接続されている。ビア１５Ａは、絶縁層５を貫通して誘電体基板２の厚さ方向（Ｚ軸方向）に延びる柱状の導体によって形成されている。入出力線路１３のビア１５Ａは、共振器１０のビア１２Ａの近傍であって、ビア１２ＡとＹ軸方向の異なる位置に配置されている。入出力線路１３のビア１５Ａと共振器１０のビア１２Ａとは、誘電体基板２の厚さ方向（Ｚ軸方向）に対して逆方向に延びている（図１、図３、図４参照）。第２結合部１３Ｃは、線状導体１１の第１端１１Ａに結合されている。このとき、入出力線路１３の第２結合部１３Ｃと線状導体１１の第１端１１Ａとの結合は、磁界結合が支配的である。
【００２６】
入出力線路１４は、２つの共振器８，１０の線状導体９，１１のうち第１端９Ａ，１１Ａよりも第２端９Ｂ，１１Ｂに近い位置に配置されている。入出力線路１４は、入出力線路１３と同様に、伝送線路部１４Ａ、第１結合部１４Ｂおよび第２結合部１４Ｃを備えている。伝送線路部１４Ａは、Ｘ軸方向に延びる細長い帯状に形成されている。第１結合部１４Ｂは、伝送線路部１４Ａから分岐して共振器８に向けて延び、絶縁層４を挟んで線状導体９の第２端９Ｂと厚さ方向で対向している。第１結合部１４Ｂは、線状導体９の第２端９Ｂに結合されている。このとき、入出力線路１４の第１結合部１４Ｂと線状導体９の第２端９Ｂとの結合は、容量結合が支配的である。
【００２７】
第２結合部１４Ｃは、伝送線路部１４Ａから分岐して共振器１０に向けて延び、線状導体９の第２端９Ｂよりも線状導体１１の第２端１１Ｂに近い位置に配置されている。第２結合部１４Ｃは、第２ビアとなるビア１５Ｂによって、誘電体基板２の第２面２Ｂのグランド導体７に接続されている。ビア１５Ｂは、絶縁層５を貫通して誘電体基板２の厚さ方向（Ｚ軸方向）に延びる柱状の導体によって形成されている。入出力線路１４のビア１５Ｂは、共振器１０のビア１２Ｂの近傍であって、ビア１２ＢとＹ軸方向の異なる位置に配置されている。入出力線路１４のビア１５Ｂと共振器１０のビア１２Ｂとは、誘電体基板２の厚さ方向（Ｚ軸方向）に対して逆方向に延びている（図１、図４参照）。第２結合部１４Ｃは、線状導体１１の第２端１１Ｂに結合されている。このとき、入出力線路１４の第２結合部１４Ｃと線状導体１１の第２端１１Ｂとの結合は、磁界結合が支配的である。
【００２８】
次に、図５ないし図８を参照して、共振器１０のビア１２Ａ，１２Ｂおよび入出力線路１３，１４のビア１５Ａ，１５Ｂと、外部Ｑとの関係について説明する。
【００２９】
入出力線路１３，１４と偶モード共振器からなる共振器１０とを主に磁界結合によって結合させる場合には、これらによる外部Ｑが大きくなり易い。この結果、帯域通過フィルタの比帯域幅が狭くなる傾向がある。
【００３０】
これに対し、本願発明者が鋭意検討した結果、共振器１０のビア１２Ａ，１２Ｂと入出力線路１３，１４のビア１５Ａ，１５Ｂとを互いに異なるグランド導体６，７に接続することによって、外部Ｑを低下させることが可能であることが分かった。この効果を確認するために、図５および図６に示す逆方向のビアを備えた計算モデル１０１と、図７に示す同方向のビアを備えた計算モデル１１１について、外部Ｑを算出した。
【００３１】
ここで、計算モデル１０１は、誘電体基板１０２、グランド導体１０３，１０４、共振器１０５、入出力線路１０８を備えている。グランド導体１０３は、誘電体基板１０２の第１面１０２Ａに設けられている。グランド導体１０４は、誘電体基板１０２の第２面１０２Ｂに設けられている。共振器１０５は、偶モード共振器であって、誘電体基板１０２の内部に設けられた線状導体１０６を備えている。線状導体１０６の両端（一方のみ図示）は、ビア１０７によってグランド導体１０３に接続されている。入出力線路１０８は、ビア１０７の近傍に位置して、誘電体基板１０２の内部に設けられている。入出力線路１０８は、ビア１０９によってグランド導体１０４に接続されている。このため、計算モデル１０１では、共振器１０５のビア１０７と入出力線路１０８のビア１０９とが誘電体基板１０２の厚さ方向に対して逆方向（互い違い）に向けて延び、逆方向ビアとなっている。
【００３２】
計算モデル１１１は、計算モデル１０１とほぼ同様に、誘電体基板１０２、グランド導体１０３，１０４、共振器１１２、入出力線路１０８を備えている。共振器１１２は、計算モデル１０１の共振器１０５と同様に、偶モード共振器であって、誘電体基板１０２の内部に設けられた線状導体１１３を備えている。但し、線状導体１１３の両端（一方のみ図示）は、ビア１１４によってグランド導体１０４に接続されている。このため、計算モデル１１１では、共振器１１２のビア１１４と入出力線路１０８のビア１０９とが誘電体基板１０２の厚さ方向に対して同方向に向けて延び、同方向ビアとなっている。
【００３３】
これらの計算モデル１０１，１１１について、共振器１０５，１１２の線状導体１０６，１１３と入出力線路１０８との間の隙間Ｇ1と外部Ｑとの関係を求めた。その結果を、図８に示す。
【００３４】
図８に示すように、同方向ビアを備えた計算モデル１１１では、隙間Ｇ1を変化させても外部Ｑは殆ど変化せず、例えば８０以上になっている。これに対し、逆方向ビアを備えた計算モデル１０１では、隙間Ｇ1が小さくなるに従って、外部Ｑが小さくなることが分かる。特に、隙間Ｇ1が負の値となったとき、外部Ｑは１０よりも低下する。隙間Ｇ1が負の値となる場合には、図９に示す第１の変形例による計算モデル１１５のように、線状導体１０６と入出力線路１０８とが重なり合う。これにより、計算モデル１０１では、帯域通過フィルタの比帯域幅を広げることができる。
【００３５】
なお、線状導体１０６と入出力線路１０８とは、直接的に重なり合う必要はない。例えば、図１０に示す第２の変形例による計算モデル１１６のように、他の導体となる中間導体１１７を介して、線状導体１０６と入出力線路１０８とは、間接的に重なり合ってもよい。この場合、中間導体１１７は、誘電体基板１０２の厚さ方向に対して、線状導体１０６と入出力線路１０８との間に位置している。中間導体１１７は、線状導体１０６と重なり合うと共に、入出力線路１０８と重なり合っている。なお、中間導体１１７は、共振器の共振周波数あるいは阻止帯域の周波数相当の波長の１／２よりも小さい長さの導体である。即ち、中間導体１１７は、非共振電極であり、フィルタに要求されている通過帯域および阻止帯域の周波数では共振しない。
【００３６】
第１の実施形態による帯域通過フィルタ１も、計算モデル１０１と同様に、共振器１０のビア１２Ａ，１２Ｂおよび入出力線路１３，１４のビア１５Ａ，１５Ｂとが誘電体基板２の厚さ方向に対して逆方向に延びている。このため、第１の実施形態による帯域通過フィルタ１でも、帯域通過フィルタの比帯域幅を広げることができる。
【００３７】
第１の実施形態による帯域通過フィルタ１の周波数特性を確認するために、ＳパラメータのＳ11（反射係数）とＳ21（透過係数）の周波数特性を求めた。その結果の一例を図１１に示す。
【００３８】
図１１に示すように、本実施形態の帯域通過フィルタ１では、通過帯域である２５〜３１ＧＨｚ付近で、反射係数Ｓ11は０ｄＢよりもマイナス方向に増加し、透過係数Ｓ21は０ｄＢに近付いている。これにより、帯域通過フィルタ１は、例えば比帯域幅を１５％以上の通過特性を有する帯域通過フィルタとなることを確認した。このとき、比帯域幅は、図１１に示した帯域幅ＢＷを中心周波数である２８ＧＨｚで割ったものである。
【００３９】
かくして、第１の実施形態による帯域通過フィルタ１は、誘電体基板２と、誘電体基板２の第１面２Ａおよび第２面２Ｂにそれぞれ設けられたグランド導体６，７と、誘電体基板２の内部に設けられた線状導体９を有する共振器８と、誘電体基板２の内部に設けられた線状導体１１を有する共振器１０と、共振器８および共振器１０と外部回路とを接続し、共振器８と共振器１０が並列接続された入出力線路１３および入出力線路１４と、を備えている。
【００４０】
これに加え、共振器８は、その線状導体９の両端が開放され、共振器１０は、その線状導体１１の両端を誘電体基板２の第１面２Ａと第２面２Ｂのうち一方のグランド導体６にそれぞれ接続する一対のビア１２Ａ，１２Ｂを備え、入出力線路１３は、誘電体基板２の第１面２Ａと第２面２Ｂのうちビア１２Ａ，１２Ｂとは異なる他方のグランド導体７に接続するビア１５Ａを備え、入出力線路１４は、誘電体基板２の第１面２Ａと第２面２Ｂのうちビア１２Ａ，１２Ｂとは異なる他方のグランド導体７に接続するビア１５Ｂを備えている。
【００４１】
このように構成したことにより、共振器８は両端が開放された奇モード共振器になり、共振器１０は両端がグランド導体６に接続された偶モード共振器になる。これらの奇モード共振器および偶モード共振器は、入出力線路１３と入出力線路１４との間に並列接続され、共振器並列結合フィルタを構成する。このとき、偶モード共振器（共振器１０）のビア１２Ａ，１２Ｂと入出力線路１３，１４のビア１５Ａ，１５Ｂとは、誘電体基板２の厚さ方向に対して互いに逆方向（互い違い）に延び、互いに異なるグランド導体６，７に接続されている。この結果、共振器１０のビア１２Ａ，１２Ｂと入出力線路１３，１４のビア１５Ａ，１５Ｂとが互いに同じグランド導体に接続された場合に比べて、共振器１０の外部Ｑが小さくなり、帯域通過フィルタ１の比帯域幅を広げることができる。
【００４２】
次に、図１２および図１３を用いて、本発明の第２の実施形態について説明する。第２の実施形態の特徴は、２つの共振器の間に位置して誘電体基板を厚さ方向に貫通し、誘電体基板の第１面のグランド導体と誘電体基板の第２面のグランド導体とを接続する貫通ビアを備えたことにある。なお、第２の実施形態において、第１の実施形態と同一の構成要素は同一の符号を付し、その説明を省略する。
【００４３】
第２の実施形態による帯域通過フィルタ１６は、第１の実施形態による帯域通過フィルタ１とほぼ同様に、誘電体基板２、グランド導体６，７、共振器８，１０、入出力線路１３，１４を備えている。これに加え、帯域通過フィルタ１６は、貫通ビア１７を備えている。
【００４４】
貫通ビア１７は、２つの共振器８，１０の間に位置して誘電体基板２を厚さ方向に貫通し、誘電体基板２の第１面２Ａのグランド導体６と誘電体基板２の第２面２Ｂのグランド導体７とを接続している。貫通ビア１７は、例えばＹ軸方向に対して共振器８と共振器１０との間の中間位置付近に配置されている。
【００４５】
かくして、このように構成された第２の実施形態においても、共振器２５の外部Ｑが小さくなり、帯域通過フィルタ２１の比帯域幅を広げることができる。
【００４６】
例えば、貫通ビア１７を省いた場合には、キャビティに起因する不要な共振が発生することがある。これにより、図１３中の破線に示すように、必要な周波数領域（例えば通過帯域の低周波側）に減衰極が生成されないという問題がある。これに対し、帯域通過フィルタ１６は、２つの共振器８，１０の間に位置して誘電体基板２を厚さ方向に貫通し、誘電体基板２の第１面２Ａのグランド導体６と誘電体基板２の第２面２Ｂのグランド導体７とを接続する貫通ビア１７を備えている。このように構成したことにより、帯域通過フィルタ１６を含むパッケージ全体の不要な共振を抑制することができる。この結果、図１３中の実線に示すように、必要な周波数領域に減衰極を配置することができ、所望な透過係数Ｓ21の周波数特性を得ることができる。これに加え、２つの共振器８，１０と第１の入出力線路１３および第２の入出力線路１４との間の結合特性を安定させることができる。
【００４７】
次に、図１４ないし図１７を用いて、本発明の第３の実施形態について説明する。第３の実施形態の特徴は、誘電体基板の内部に設けられた線状導体を有し、偶モード共振器に結合される他の偶モード共振器を備えたことにある。なお、第３の実施形態において、第１の実施形態と同一の構成要素は同一の符号を付し、その説明を省略する。
【００４８】
第３の実施形態による帯域通過フィルタ２１は、第１の実施形態による帯域通過フィルタ１とほぼ同様に、誘電体基板２、グランド導体６，７、共振器２２，２５、入出力線路２８，２９を備えている。これに加えて、帯域通過フィルタ２１は、共振器２５に結合される他の共振器３１を備えている。
【００４９】
共振器２２は、誘電体基板２の内部に設けられている（図１４〜図１７参照）。共振器２２は、線状導体２３を有している。線状導体２３は、絶縁層４と絶縁層５との間に位置して、長さ方向となるＸ軸方向に延びた細長い帯状に形成されている。図１５に示すように、線状導体２３のＸ軸方向の長さ寸法Ｄ21は、例えば第１の共振周波数に対応した誘電体基板２内の波長の１／２に設定されている。線状導体２３の第１端２３Ａは、Ｘ軸方向の第１端側に位置して、絶縁層４，５によって覆われている。線状導体２３の第２端２３Ｂは、Ｘ軸方向の第２端側に位置して、絶縁層４，５によって覆われている。線状導体２３の第１端２３Ａおよび第２端２３Ｂは、開放されている。これにより、共振器２２は、半波長共振器かつ奇モード共振器を構成している。
【００５０】
線状導体２３の第１端２３Ａは、絶縁層４を挟んで結合導体２４Ａと対向している。線状導体２３の第２端２３Ｂは、絶縁層４を挟んで結合導体２４Ｂと対向している。結合導体２４Ａ，２４Ｂは、絶縁層３と絶縁層４との間に位置して、Ｙ軸方向に延びている。結合導体２４Ａは、線状導体２３の第１端２３Ａに対向すると共に、入出力線路２８の結合部２８Ｂと対向している。結合導体２４Ｂは、線状導体２３の第２端２３Ｂに対向すると共に、入出力線路２９の結合部２９Ｂと対向している。これにより、共振器２２は、入出力線路２８，２９に結合されている。このとき、共振器２２と入出力線路２８，２９との結合は、容量結合が支配的である。
【００５１】
共振器２５は、誘電体基板２の内部に設けられている（図１４〜図１７参照）。共振器２５は、線状導体２６を有している。線状導体２６は、絶縁層３と絶縁層４との間に位置して、長さ方向となるＸ軸方向に延びた細長い帯状に形成されている。線状導体２６は、線状導体２３とＹ軸方向に離間している。線状導体２６は、線状導体２３と並行な状態で、Ｘ軸方向に延びている。
【００５２】
図１５に示すように、線状導体２６のＸ軸方向の長さ寸法Ｄ22は、例えば第２の共振周波数に対応した誘電体基板２内の波長の１／２に設定されている。長さ寸法Ｄ22は、ビア２７Ａの中心からビア２７Ｂの中心までの長さ寸法である。なお、長さ寸法Ｄ22にビア２７Ａ，２７Ｂの高さ寸法を加えた寸法が、第２の共振周波数に対応した誘電体基板２内の波長の１／２に設定されてもよい。線状導体２６の長さ寸法Ｄ22は、例えば線状導体２３の長さ寸法Ｄ21よりも大きな値になっている。なお、線状導体２６の長さ寸法Ｄ22は、線状導体２３の長さ寸法Ｄ21よりも小さい値でもよく、同じ値でもよい。
【００５３】
線状導体２６の長さ寸法Ｄ22が線状導体２３の長さ寸法Ｄ21よりも小さい場合には、偶モードの共振周波数よりも奇モードの共振周波数が低い。この場合、伝送零点（減衰極）の周波数は、通過帯域よりも高くなる。
【００５４】
一方、線状導体２６の長さ寸法Ｄ22が線状導体２３の長さ寸法Ｄ21よりも大きい場合には、偶モードの共振周波数よりも奇モードの共振周波数が高い。この場合、伝送零点（減衰極）の周波数は、通過帯域よりも低くなる。
【００５５】
線状導体２６の第１端２６Ａは、Ｘ軸方向の第１端側に位置して、第１ビアとなるビア２７Ａによって誘電体基板２の第１面２Ａのグランド導体６に接続されている。線状導体２６の第２端２６Ｂは、Ｘ軸方向の第２端側に位置して、第１ビアとなるビア２７Ｂによって誘電体基板２の第１面２Ａのグランド導体６に接続されている。ビア２７Ａ，２７Ｂは、絶縁層３を貫通して誘電体基板２の厚さ方向（Ｚ軸方向）に延びる柱状の導体によって形成されている。線状導体２６の第１端２６Ａおよび第２端２６Ｂは、グランド導体６に短絡されている。これにより、共振器２５は、半波長共振器かつ偶モード共振器を構成している。
【００５６】
一対の入出力線路２８，２９は、２つの共振器２２，２５と外部回路とを接続し、２つの共振器２２，２５が並列接続されている（図１４、図１５参照）。入出力線路２８は、第１の入出力線路である。入出力線路２８は、Ｘ軸方向の第１端側に位置して、絶縁層４と絶縁層５との間に配置されている。入出力線路２９は、第２の入出力線路である。入出力線路２９は、Ｘ軸方向の第２端側に位置して、絶縁層４と絶縁層５との間に配置されている。
【００５７】
入出力線路２８は、２つの共振器２２，２５の線状導体２３，２６のうち第２端２３Ｂ，２６Ｂよりも第１端２３Ａ，２６Ａに近い位置に配置されている。入出力線路２８は、伝送線路部２８Ａ、第１結合部２８Ｂおよび第２結合部２８Ｃを備えている。伝送線路部２８Ａは、Ｘ軸方向に延びる細長い帯状に形成されている。第１結合部２８Ｂは、伝送線路部２８Ａから分岐して共振器２２に向けて延び、絶縁層４を挟んで結合導体２４Ａと厚さ方向で対向している。第１結合部２８Ｂは、結合導体２４Ａを介して線状導体２３の第１端２３Ａに結合されている。このとき、入出力線路２８の第１結合部２８Ｂと線状導体２３の第１端２３Ａとの結合は、容量結合が支配的である。
【００５８】
第２結合部２８Ｃは、伝送線路部２８Ａから分岐して共振器２５に向けて延び、線状導体２３の第１端２３Ａよりも線状導体２６の第１端２６Ａに近い位置に配置されている。第２結合部２８Ｃは、第２ビアとなるビア３０Ａによって、誘電体基板２の第２面２Ｂのグランド導体７に接続されている。ビア３０Ａは、絶縁層５を貫通して誘電体基板２の厚さ方向（Ｚ軸方向）に延びる柱状の導体によって形成されている。入出力線路２８のビア３０Ａは、共振器２５のビア２７Ａの近傍であって、ビア２７ＡとＹ軸方向の異なる位置に配置されている。入出力線路２８のビア３０Ａと共振器２５のビア２７Ａとは、誘電体基板２の厚さ方向（Ｚ軸方向）に対して逆方向に延びている（図１４、図１６、図１７参照）。第２結合部２８Ｃは、線状導体２６の第１端２６Ａに結合されている。このとき、入出力線路２８の第２結合部２８Ｃと線状導体２６の第１端２６Ａとの結合は、磁界結合が支配的である。
【００５９】
入出力線路２９は、２つの共振器２２，２５の線状導体２３，２６のうち第１端２３Ａ，２６Ａよりも第２端２３Ｂ，２６Ｂに近い位置に配置されている。入出力線路２９は、入出力線路２８と同様に、伝送線路部２９Ａ、第１結合部２９Ｂおよび第２結合部２９Ｃを備えている。伝送線路部２９Ａは、Ｘ軸方向に延びる細長い帯状に形成されている。第１結合部２９Ｂは、伝送線路部２９Ａから分岐して共振器２２に向けて延び、絶縁層４を挟んで結合導体２４Ｂと厚さ方向で対向している。第１結合部２９Ｂは、結合導体２４Ｂを介して線状導体２３の第２端２３Ｂに結合されている。このとき、入出力線路２９の第１結合部２９Ｂと線状導体２３の第２端２３Ｂとの結合は、容量結合が支配的である。
【００６０】
第２結合部２９Ｃは、伝送線路部２９Ａから分岐して共振器２５に向けて延び、線状導体２３の第２端２３Ｂよりも線状導体２６の第２端２６Ｂに近い位置に配置されている。第２結合部２９Ｃは、第２ビアとなるビア３０Ｂによって、誘電体基板２の第２面２Ｂのグランド導体７に接続されている。ビア３０Ｂは、絶縁層５を貫通して誘電体基板２の厚さ方向（Ｚ軸方向）に延びる柱状の導体によって形成されている。入出力線路２９のビア３０Ｂは、共振器２５のビア２７Ｂの近傍であって、ビア２７ＢとＹ軸方向の異なる位置に配置されている。入出力線路２９のビア３０Ｂと共振器２５のビア２７Ｂとは、誘電体基板２の厚さ方向（Ｚ軸方向）に対して逆方向に延びている（図１４、図１７参照）。第２結合部２９Ｃは、線状導体２６の第２端２６Ｂに結合されている。このとき、入出力線路２９の第２結合部２９Ｃと線状導体２６の第２端２６Ｂとの結合は、磁界結合が支配的である。
【００６１】
共振器３１は、誘電体基板２の内部に設けられている（図１４〜図１７参照）。共振器３１は、線状導体３２を有している。線状導体３２は、絶縁層４と絶縁層５との間に位置して、長さ方向となるＸ軸方向に延びた細長い帯状に形成されている。線状導体３２は、線状導体２６とＹ軸方向に離間している。線状導体３２は、線状導体２６と並行な状態で、Ｘ軸方向に延びている。線状導体３２は、誘電体基板２の厚さ方向で線状導体２６と異なる位置に配置されている。この場合、Ｙ軸方向の離間寸法を変えることなく、線状導体３２と線状導体２６との間の距離を大きくすることができるため、結合強度の調整が可能になる。なお、線状導体３２は、誘電体基板２の厚さ方向で線状導体２６と同じ位置、即ち絶縁層３と絶縁層４との間に配置されていてもよい。
【００６２】
線状導体３２は、例えば線状導体２６と同じ長さ寸法Ｄ22を有している。なお、線状導体３２と線状導体２６とは、異なる長さ寸法を有していてもよい。
【００６３】
線状導体３２の第１端３２Ａは、Ｘ軸方向の第１端側に位置して、第３ビアとなるビア３３Ａによって誘電体基板２の第２面２Ｂのグランド導体７に接続されている。線状導体３２の第２端３２Ｂは、Ｘ軸方向の第２端側に位置して、第３ビアとなるビア３３Ｂによって誘電体基板２の第２面２Ｂのグランド導体７に接続されている。ビア３３Ａ，３３Ｂは、絶縁層５を貫通して誘電体基板２の厚さ方向（Ｚ軸方向）に延びる柱状の導体によって形成されている。共振器３１のビア３３Ａ，３３Ｂは、共振器２５のビア２７Ａ，２７Ｂの近傍に配置されている。これに加え、共振器３１のビア３３Ａ，３３Ｂは、共振器２５のビア２７Ａ，２７Ｂを挟んでＹ軸方向で入出力線路２８，２９のビア３０Ａ，３０Ｂとは反対側に配置されている。線状導体３２の第１端３２Ａおよび第２端３２Ｂは、グランド導体７に短絡されている。これにより、共振器２５は、半波長共振器かつ偶モード共振器を構成している。
【００６４】
また、線状導体３２は、線状導体２６を挟んでＹ軸方向で線状導体２３とは反対側に配置されている。このため、共振器３１は、共振器２２には結合せず、共振器２５に結合する。さらに、共振器３１のビア３３Ａ，３３Ｂと共振器２５のビア２７Ａ，２７Ｂとは、誘電体基板２の厚さ方向（Ｚ軸方向）に対して逆方向に延びている（図１４、図１６、図１７参照）。
【００６５】
貫通ビア３４は、２つの共振器２２，２５の間に位置して誘電体基板２を厚さ方向に貫通し、誘電体基板２の第１面２Ａのグランド導体６と誘電体基板２の第２面２Ｂのグランド導体７とを接続している。貫通ビア３４は、例えばＹ軸方向に対して共振器２２と共振器２５との間の中間位置付近に配置されている。
【００６６】
次に、図１８ないし図２０を参照して、共振器２５のビア２７Ａ，２７Ｂおよび共振器３１のビア３３Ａ，３３Ｂと、結合係数との関係について説明する。
【００６７】
偶モード共振器からなる２つの共振器２５，３１を結合させる場合には、これらの結合係数が小さくなり易い。この結果、帯域通過フィルタの比帯域幅が狭くなる傾向がある。
【００６８】
これに対し、本願発明者が鋭意検討した結果、共振器２５のビア２７Ａ，２７Ｂおよび共振器３１のビア３３Ａ，３３Ｂを互いに異なるグランド導体６，７に接続することによって、結合係数が増大可能であることが分かった。この効果を確認するために、図１８に示す互いに結合する２つの共振器のビアが逆方向となった計算モデル１２１と、図１９に示す互いに結合する２つの共振器のビアが同方向となった計算モデル１３１について、結合係数を算出した。
【００６９】
ここで、計算モデル１２１は、誘電体基板１２２、グランド導体１２３，１２４、２つの共振器１２５，１２８を備えている（図１８参照）。グランド導体１２３は、誘電体基板１２２の第１面１２２Ａに設けられている。グランド導体１２４は、誘電体基板１２２の第２面１２２Ｂに設けられている。共振器１２５は、誘電体基板１２２の内部に設けられた線状導体１２６を備えている。線状導体１２６の第１端１２６Ａと第２端１２６Ｂは、ビア１２７Ａ，１２７Ｂによってグランド導体１２３に接続されている。共振器１２８は、誘電体基板１２２の内部に設けられた線状導体１２９を備えている。線状導体１２９は、線状導体１２６と非接触な状態で、線状導体１２６と並行に延びている。線状導体１２９の第１端１２９Ａと第２端１２９Ｂは、ビア１３０Ａ，１３０Ｂによってグランド導体１２４に接続されている。このため、計算モデル１２１では、共振器１２５のビア１２７Ａ，１２７Ｂと共振器１２８のビア１３０Ａ，１３０Ｂとが誘電体基板１２２の厚さ方向に対して逆方向（互い違い）に向けて延び、逆方向ビアとなっている。
【００７０】
計算モデル１３１は、計算モデル１２１とほぼ同様に、誘電体基板１２２、グランド導体１２３，１２４、２つの共振器１２５，１２８を備えている（図１９参照）。但し、線状導体１２６の第１端１２６Ａと第２端１２６Ｂは、ビア１３２Ａ，１３２Ｂによってグランド導体１２４に接続されている。このため、計算モデル１３１では、共振器１２５のビア１３２Ａ，１３２Ｂと共振器１２８のビア１３０Ａ，１３０Ｂとが誘電体基板１２２の厚さ方向に対して同方向に向けて延び、同方向ビアとなっている。
【００７１】
これらの計算モデル１２１，１３１について、共振器１２５，１２８の線状導体１２６，１２９の間の隙間Ｇ2と結合係数との関係を求めた。その結果を、図２０に示す。
【００７２】
図２０に示すように、同方向ビアを備えた計算モデル１３１では、隙間Ｇ2が小さくなるに従って結合係数が減少する傾向がある。これに対し、逆方向ビアを備えた計算モデル１２１では、隙間Ｇ2が小さくなるに従って、結合係数が大きくなることが分かる。特に、隙間Ｇ2が０．２ｍｍ以下になったとき、結合係数が１０％よりも大きくなる。これにより、帯域通過フィルタの比帯域幅を広げることができる。
【００７３】
第３の実施形態による帯域通過フィルタ２１も、計算モデル１２１と同様に、共振器２５のビア２７Ａ，２７Ｂおよび共振器３１のビア３３Ａ，３３Ｂとが誘電体基板２の厚さ方向に対して逆方向に延びている。このため、第３の実施形態による帯域通過フィルタ２１でも、帯域通過フィルタの比帯域幅を広げることができる。
【００７４】
第３の実施形態による帯域通過フィルタ２１のフィルタリング特性を確認するために、ＳパラメータのＳ11（反射係数）とＳ21（透過係数）の周波数特性を求めた。その結果の一例を図２１に示す。
【００７５】
図２１に示すように、本実施形態の帯域通過フィルタ２１では、通過帯域である２７〜３０ＧＨｚ付近で、反射係数Ｓ11は０ｄＢよりもマイナス方向に増加し、透過係数Ｓ21は０ｄＢに近付いている。これにより、帯域通過フィルタ２１は、例えば比帯域幅を１０％以上の通過特性を有する帯域通過フィルタとなることを確認した。
【００７６】
かくして、このように構成された第３の実施形態においても、共振器２５の外部Ｑが小さくなり、帯域通過フィルタ２１の比帯域幅を広げることができる。また、第３の実施形態では、誘電体基板２には共振器２５に結合する他の共振器３１を設けたから、３つの共振器２２，２５，３１からなる３段のCul-de-Sac結合フィルタを構成することができる。３段のCul-de-Sac結合フィルタは、入力段と出力段に直接結合しない共振器を含む結合構成となっている。図１５に示す帯域通過フィルタ２１は、共振器３１が入力段と出力段に直接結合されていない。このため、２つの共振器８，１０からなる第１の実施形態による帯域通過フィルタ１に比べて、急峻な減衰特性を得ることができる。
【００７７】
さらに、共振器２５は、その線状導体２６の両端に接続して設けられ、誘電体基板２の第１面２Ａのグランド導体６に接続されたビア２７Ａ，２７Ｂを備え、共振器３１は、その線状導体３２の両端に接続して設けられ、誘電体基板２の第２面２Ｂのグランド導体７に接続されたビア３３Ａ，３３Ｂを備えている。
【００７８】
このように構成したことにより、２つの共振器２５，３１は両端がグランド導体６，７に接続された偶モード共振器になる。このとき、共振器２５のビア２７Ａ，２７Ｂと共振器３１のビア３３Ａ，３３Ｂとは、誘電体基板２の厚さ方向に対して互いに逆方向に延び、互いに異なるグランド導体６，７に接続されている。この結果、共振器２５のビア２７Ａ，２７Ｂと共振器３１のビア３３Ａ，３３Ｂとが互いに同じグランド導体に接続された場合に比べて、２つの共振器２５，３１の結合係数が大きくなり、帯域通過フィルタ２１の比帯域幅を広げることができる。
【００７９】
なお、共振器２５のビア２７Ａ，２７Ｂは、両方とも同じグランド導体６に接続されたが、互いに異なるグランド導体６，７に接続されてもよい。例えば、共振器２５のビア２７Ａはグランド導体６に接続され、共振器２５のビア２７Ｂはグランド導体７に接続されてもよい。この場合、共振器３１のビア３３Ａはグランド導体７に接続され、共振器３１のビア３３Ｂはグランド導体６に接続される。このような構成でも、帯域通過フィルタの比帯域幅を広げることができる。
【００８０】
また、帯域通過フィルタ２１は、２つの共振器２２，２５の間に位置して誘電体基板２を厚さ方向に貫通し、誘電体基板２の第１面２Ａのグランド導体６と誘電体基板２の第２面２Ｂのグランド導体７とを接続する貫通ビア３４を備えている。このように構成したことにより、第２の実施の形態による帯域通過フィルタ１６と同様に、帯域通過フィルタ２１を含むパッケージ全体の不要な共振を抑制することができる。この結果、必要な周波数領域に減衰極を配置することができ、所望な透過係数Ｓ21の周波数特性を得ることができる。これに加え、２つの共振器２２，２５と入出力線路２８，２９との間の結合特性を安定させることができる。
【００８１】
次に、図２２を用いて、本発明の第４の実施形態について説明する。第４の実施形態の特徴は、２つの偶モード共振器が結合すると共に、一方の偶モード共振器のビアと他方の偶モード共振器のビアとが互いに異なるグランド導体に接続されたことにある。なお、第４の実施形態において、第１の実施形態と同一の構成要素は同一の符号を付し、その説明を省略する。
【００８２】
第４の実施形態による帯域通過フィルタ４１は、第１の実施形態による帯域通過フィルタ１とほぼ同様に、誘電体基板２、グランド導体６，７、共振器４２，４５、入出力線路４８，４９を備えている。
【００８３】
共振器４２は、誘電体基板２の内部に設けられている。共振器４２は、線状導体４３を有している。線状導体４３は、誘電体基板２の内部に位置して、長さ方向となるＸ軸方向に延びた細長い帯状に形成されている。線状導体４３のＸ軸方向の長さ寸法は、例えば第１の共振周波数に対応した誘電体基板２内の波長の１／２に設定されている。線状導体４３のＸ軸方向の長さ寸法は、例えばビア４４Ａの中心からビア４４Ｂの中心までの長さ寸法である。
【００８４】
線状導体４３の第１端４３Ａは、Ｘ軸方向の第１端側に位置して、第１面側ビアとなるビア４４Ａによって誘電体基板２の第１面２Ａのグランド導体６に接続されている。線状導体４３の第２端４３Ｂは、Ｘ軸方向の第２端側に位置して、第１面側ビアとなるビア４４Ｂによって誘電体基板２の第１面２Ａのグランド導体６に接続されている。ビア４４Ａ，４４Ｂは、誘電体基板２の厚さ方向（Ｚ軸方向）に延びる柱状の導体によって形成されている。線状導体４３の第１端４３Ａおよび第２端４３Ｂは、グランド導体６に短絡されている。これにより、共振器４２は、半波長共振器かつ偶モード共振器を構成している。
【００８５】
共振器４５は、誘電体基板２の内部に設けられている。共振器４５は、線状導体４６を有している。線状導体４６は、誘電体基板２の内部に位置して、長さ方向となるＸ軸方向に延びた細長い帯状に形成されている。線状導体４６は、線状導体４３とＹ軸方向に離間している。線状導体４６は、線状導体４３と並行な状態で、Ｘ軸方向に延びている。
【００８６】
線状導体４６のＸ軸方向の長さ寸法は、例えば第２の共振周波数に対応した誘電体基板２内の波長の１／２に設定されている。線状導体４６のＸ軸方向の長さ寸法は、例えばビア４７Ａの中心からビア４７Ｂの中心までの長さ寸法である。線状導体４６の長さ寸法は、線状導体４３の長さ寸法と異なる値でもよく、同じ値でもよい。
【００８７】
線状導体４６の第１端４６Ａは、Ｘ軸方向の第１端側に位置して、第２面側ビアとなるビア４７Ａによって誘電体基板２の第２面２Ｂのグランド導体７に接続されている。線状導体４６の第２端４６Ｂは、Ｘ軸方向の第２端側に位置して、第２面側ビアとなるビア４７Ｂによって誘電体基板２の第２面２Ｂのグランド導体７に接続されている。ビア４７Ａ，４７Ｂは、誘電体基板２の厚さ方向（Ｚ軸方向）に延びる柱状の導体によって形成されている。線状導体４６の第１端４６Ａおよび第２端４６Ｂは、グランド導体７に短絡されている。これにより、共振器４５は、半波長共振器かつ偶モード共振器を構成している。
【００８８】
一対の入出力線路４８，４９は、２つの共振器４２，４５と外部回路とを接続し、２つの共振器４２，４５が直列接続されている。一対の入出力線路４８，４９は、２つの共振器４２，４５を挟んでＹ軸方向の両側にそれぞれ配置されている。一方の入出力線路４８は、Ｙ軸方向の第１端側に位置している。他方の入出力線路４９は、Ｙ軸方向の第２端側に位置している。
【００８９】
入出力線路４８は、第１の入出力線路である。入出力線路４８は、共振器４２の線状導体４３のうち第２端４３Ｂよりも第１端４３Ａに近い位置に配置されている。なお、入出力線路４８は、共振器４２の線状導体４３のうち第１端４３Ａよりも第２端４３Ｂに近い位置に配置してもよい。入出力線路４８は、入出力に繋がる線路側ビアとなるビア５０Ａによって誘電体基板２の第２面２Ｂのグランド導体７に接続されている。入出力線路４８のビア５０Ａと共振器４２のビア４４Ａとは、誘電体基板２の厚さ方向（Ｚ軸方向）に対して逆方向に延びている。入出力線路４８は、共振器４２を挟んで共振器４５とは反対側に配置されている。これにより、入出力線路４８は、共振器４５とは結合せず、共振器４２に結合している。
【００９０】
入出力線路４９は、第２の入出力線路である。入出力線路４９は、共振器４５の線状導体４６のうち第２端４６Ｂよりも第１端４６Ａに近い位置に配置されている。なお、入出力線路４９は、共振器４５の線状導体４６のうち第１端４６Ａよりも第２端４６Ｂに近い位置に配置してもよい。入出力線路４９は、入出力に繋がる線路側ビアとなるビア５０Ｂによって誘電体基板２の第１面２Ａのグランド導体６に接続されている。入出力線路４９のビア５０Ｂと共振器４５のビア４７Ａとは、誘電体基板２の厚さ方向（Ｚ軸方向）に対して逆方向に延びている。入出力線路４９は、共振器４５を挟んで共振器４２とは反対側に配置されている。これにより、入出力線路４９は、共振器４２とは結合せず、共振器４５に結合している。この結果、２つの共振器４２，４５は、一対の入出力線路４８，４９の間に直列接続されている。
【００９１】
かくして、第４の実施形態の帯域通過フィルタ４１は、誘電体基板２と、誘電体基板２の第１面２Ａおよび第２面２Ｂにそれぞれ設けられたグランド導体６，７と、誘電体基板２の内部に設けられた線状導体４３を有する共振器４２と、誘電体基板２の内部に設けられた線状導体４６を有し、共振器４２と結合する共振器４５と、を備えている。
【００９２】
これに加え、共振器４２は、その線状導体４３の両端を誘電体基板２の第１面２Ａのグランド導体６にそれぞれ接続する一対の第１面側ビア４４Ａ，４４Ｂを備え、共振器４５は、その線状導体４６の両端を誘電体基板２の第２面２Ｂのグランド導体７にそれぞれ接続する一対の第２面側ビア４７Ａ，４７Ｂを備えている。
【００９３】
このように構成したことにより、２つの共振器４２，４５は両端がグランド導体６，７に接続された偶モード共振器になる。このとき、共振器４２のビア４４Ａ，４４Ｂと共振器４５のビア４７Ａ，４７Ｂとは、誘電体基板２の厚さ方向に対して互いに逆方向に延び、互いに異なるグランド導体６，７に接続されている。この結果、例えば共振器４２のビア４４Ａ，４４Ｂと共振器４５のビア４７Ａ，４７Ｂとが互いに同じグランド導体に接続された場合に比べて、２つの共振器４２，４５の結合係数が大きくなり、帯域通過フィルタ４１の比帯域幅を広げることができる。
【００９４】
また、帯域通過フィルタ４１は、２つの共振器４２，４５と外部回路とを接続し、２つの共振器４２，４５が直列接続された入出力線路４８および入出力線路４９を備えている。このため、２つの共振器４２，４５は、入出力線路４８と入出力線路４９との間に直列接続され、共振器縦続接続フィルタを構成することができる。
【００９５】
入出力線路４８は、線路側ビア５０Ａによって誘電体基板２の第２面２Ｂのグランド導体７に接続され、共振器４２の線状導体４３に結合されている。入出力線路４９は、線路側ビア５０Ｂによって誘電体基板２の第１面２Ａのグランド導体６に接続され、共振器４５の線状導体４６に結合されている。入出力線路４８と線状導体４３との結合は、磁界結合が支配的である。入出力線路４９と線状導体４６との結合は、磁界結合が支配的である。
【００９６】
このとき、共振器４２のビア４４Ａと入出力線路４８のビア５０Ａとは、誘電体基板２の厚さ方向に対して互いに逆方向に延び、互いに異なるグランド導体６，７に接続されている。この結果、偶モード共振器である共振器４２のビア４４Ａと入出力線路４８のビア５０Ａとが互いに同じグランド導体に接続された場合に比べて、共振器４２の外部Ｑが小さくなり、帯域通過フィルタ４１の比帯域幅を広げることができる。この効果は、共振器４５と入出力線路４９との間でも、得ることができる。
【００９７】
なお、第４の実施形態では、入出力線路４８，４９は、共振器４２，４５の線状導体４３，４６と非接触であるものとした。本発明はこれに限らず、例えば、図２３に示す第３の変形例による帯域通過フィルタ５１のように、共振器４２，４５の線状導体４３，４６にそれぞれ接触した入出力線路５２，５３を備えていてもよい。即ち、第３の変形例では、入出力線路５２は、第１の入出力線路であり、共振器４２の線状導体４３に直接的に接続されている。入出力線路５３は、第２の入出力線路であり、共振器４５の線状導体４６に直接的に接続されている。第３の変形例による帯域通過フィルタ５１でも、第４の実施形態と同様の効果を得ることができる。
【００９８】
次に、図２４を用いて、本発明の第５の実施形態について説明する。第５の実施形態の特徴は、一方の偶モード共振器は、その線状導体の第１端が誘電体基板の第１面のグランド導体に接続され、その線状導体の第２端が誘電体基板の第２面のグランド導体に接続されており、他方の偶モード共振器は、その線状導体の第１端が誘電体基板の第２面のグランド導体に接続され、その線状導体の第２端が誘電体基板の第１面のグランド導体に接続されたことにある。なお、第５の実施形態において、第４の実施形態と同一の構成要素は同一の符号を付し、その説明を省略する。
【００９９】
第５の実施形態による帯域通過フィルタ５４は、第４の実施形態による帯域通過フィルタ４１とほぼ同様に、誘電体基板２、グランド導体６，７、共振器４２，４５、入出力線路４８，４９を備えている。
【０１００】
共振器４２は、線状導体４３を有している。線状導体４３の第１端４３Ａは、第１面側ビアとなるビア５５Ａによって誘電体基板２の第１面２Ａのグランド導体６に接続されている。線状導体４３の第２端４３Ｂは、第２面側ビアとなるビア５５Ｂによって誘電体基板２の第１面２Ａのグランド導体６に接続されている。
【０１０１】
共振器４５は、線状導体４６を有している。線状導体４６の第１端４６Ａは、他の第２面側ビアとなるビア５６Ａによって誘電体基板２の第２面２Ｂのグランド導体７に接続されている。線状導体４６の第２端４３Ｂは、他の第１面側ビアとなるビア５６Ｂによって誘電体基板２の第１面２Ａのグランド導体６に接続されている。
【０１０２】
かくして、このように構成された第５の実施形態においても、２つの共振器４２，４５の結合係数が大きくなり、帯域通過フィルタ４１の比帯域幅を広げることができる。
【０１０３】
次に、図２５を用いて、本発明の第６の実施形態について説明する。第６の実施形態の特徴は、帯域通過フィルタを用いて通信装置を構成したことにある。なお、第６の実施形態において、第１の実施形態と同一の構成要素は同一の符号を付し、その説明を省略する。
【０１０４】
第６の実施形態による通信装置６１は、アンテナ６２、アンテナ共用器６３、電力増幅器６４、低雑音増幅器６５、送信回路６６、受信回路６７を備えている。送信回路６６は、電力増幅器６４およびアンテナ共用器６３を介して、アンテナ６２に接続されている。受信回路６７は、低雑音増幅器６５およびアンテナ共用器６３を介して、アンテナ６２に接続されている。
【０１０５】
アンテナ共用器６３は、切替スイッチ６３Ａと、２つの帯域通過フィルタ６３Ｂ，６３Ｃとを備えている。切替スイッチ６３Ａは、アンテナ６２に対して、送信回路６６と受信回路６７とのうちいずれか一方を選択的に接続する。切替スイッチ６３Ａは、通信装置６１の送信状態および受信状態を選択的に切り替える。送信側の帯域通過フィルタ６３Ｂは、切替スイッチ６３Ａと電力増幅器６４との間に接続されている。受信側の帯域通過フィルタ６３Ｃは、切替スイッチ６３Ａと低雑音増幅器６５との間に接続されている。帯域通過フィルタ６３Ｂ，６３Ｃは、例えば第１の実施形態による帯域通過フィルタ１によって構成されている。なお、帯域通過フィルタ６３Ｂ，６３Ｃは、第２ないし第５の実施形態による帯域通過フィルタ１６，２１，４１，５４によって構成されてもよい。
【０１０６】
かくして、このように構成された第６の実施形態においても、帯域通過フィルタ６３Ｂ，６３Ｃの比帯域幅を広げることができる。
【０１０７】
なお、前記各実施形態では、共振器８，１０，２２，２５，３１，４２，４５の線状導体９，１１，２３，２６，３２，４３，４６は、直線状に形成されるものとしたが、湾曲形状や屈曲形状に形成されてもよい。
【０１０８】
前記各実施形態は例示であり、異なる実施形態で示した構成の部分的な置換または組み合わせが可能であることは言うまでもない。
【０１０９】
次に、上記実施形態に含まれる帯域通過フィルタ、通信装置および共振器として、例えば、以下に述べる態様のものが考えられる。
【０１１０】
第１の態様としては、誘電体基板と、前記誘電体基板の第１面および第２面にそれぞれ設けられたグランド導体と、前記誘電体基板の内部に設けられた線状導体を有する第１の共振器と、前記誘電体基板の内部に設けられた線状導体を有する第２の共振器と、前記第１の共振器および前記第２の共振器と外部回路とを接続し、前記第１の共振器と前記第２の共振器が並列接続された第１の入出力線路および第２の入出力線路と、を備えた帯域通過フィルタであって、前記第１の共振器は、その線状導体の両端が開放され、前記第２の共振器は、その線状導体の両端を前記誘電体基板の第１面と第２面のうち一方の前記グランド導体にそれぞれ接続する一対の第１ビアを備え、前記第１の入出力線路は、前記誘電体基板の第１面と第２面のうち前記第１ビアとは異なる他方の前記グランド導体に接続する第２ビアを備え、前記第２の入出力線路は、前記誘電体基板の第１面と第２面のうち前記第１ビアとは異なる他方の前記グランド導体に接続する他の第２ビアを備えたことを特徴としている。
【０１１１】
このように構成したことにより、第１の共振器は両端が開放された奇モード共振器になり、第２の共振器は両端がグランド導体に接続された偶モード共振器になる。これらの奇モード共振器および偶モード共振器は、第１の入出力線路と第２の入出力線路との間に並列接続され、共振器並列結合フィルタを構成する。このとき、偶モード共振器の第１ビアと入出力線路の第２ビアとは、誘電体基板の厚さ方向に対して互いに逆方向に延び、互いに異なるグランド導体に接続されている。この結果、偶モード共振器の第１ビアと入出力線路の第２ビアとが互いに同じグランド導体に接続された場合に比べて、偶モード共振器の外部Ｑが小さくなり、帯域通過フィルタの比帯域幅を広げることができる。
【０１１２】
第２の態様としては、第１の態様において、前記誘電体基板の内部に設けられた線状導体を有し、前記第２の共振器に結合される第３の共振器を備え、前記第３の共振器は、その線状導体の両端を前記誘電体基板の第１面と第２面のうち前記第１ビアとは異なる他方の前記グランド導体にそれぞれ接続する一対の第３ビアを備えたことを特徴としている。このように構成したことにより、所謂Cul-de-Sac結合フィルタを構成することができる。
【０１１３】
第３の態様としては、第１または第２の態様において、前記第１の共振器と前記第２の共振器との間に位置して前記誘電体基板を厚さ方向に貫通し、前記誘電体基板の第１面のグランド導体と前記誘電体基板の第２面のグランド導体とを接続する貫通ビアを備えたことを特徴としている。このように構成したことにより、帯域通過フィルタを含むパッケージ全体の不要な共振を抑制することができる。これに加え、２つの共振器と入出力線路との間の結合特性を安定させることができる。
【０１１４】
第４の態様としては、第１ないし第３のいずれかの態様において、前記第２の共振器の線状導体と前記第１の入出力線路および前記第２の入出力線路とは、前記誘電体基板の厚さ方向に絶縁層を介して重なり合っていることを特徴としている。このように構成したことにより、偶モード共振器の外部Ｑが小さくなり、帯域通過フィルタの比帯域幅を広げることができる。
【０１１５】
第５の態様としては、第４の態様において、前記第２の共振器の線状導体と前記第１の入出力線路および前記第２の入出力線路とは、他の電極、導体、あるいは線路を介することなく直接的に重なり合っていることを特徴としている。
【０１１６】
第６の態様としては、第４の態様において、前記第２の共振器の線状導体と前記第１の入出力線路および前記第２の入出力線路とは、他の電極、導体、あるいは線路を介して間接的に重なり合っていることを特徴としている。
【０１１７】
第７の態様としては、誘電体基板と、前記誘電体基板の第１面および第２面にそれぞれ設けられたグランド導体と、前記誘電体基板の内部に設けられた線状導体を有する第１の共振器と、前記誘電体基板の内部に設けられた線状導体を有し、前記第１の共振器と結合する第２の共振器と、を備えた帯域通過フィルタであって、前記第１の共振器は、その線状導体の両端を前記誘電体基板の第１面の前記グランド導体にそれぞれ接続する一対の第１面側ビアを備え、前記第２の共振器は、その線状導体の両端を前記誘電体基板の第２面の前記グランド導体にそれぞれ接続する一対の第２面側ビアを備えたことを特徴としている。
【０１１８】
このように構成したことにより、第１の共振器と第２の共振器は両端がグランド導体に接続された偶モード共振器になる。このとき、偶モード共振器である第１の共振器の第１面側ビアと偶モード共振器である第２の共振器の第２面側ビアとは、誘電体基板の厚さ方向に対して互いに逆方向に延び、互いに異なるグランド導体に接続されている。この結果、２つの偶モード共振器のビアが互いに同じグランド導体に接続された場合に比べて、２つの偶モード共振器の結合係数が大きくなり、比帯域幅を広げることができる。
【０１１９】
第８の態様としては、誘電体基板と、前記誘電体基板の第１面および第２面にそれぞれ設けられたグランド導体と、前記誘電体基板の内部に設けられた線状導体を有する第１の共振器と、前記誘電体基板の内部に設けられた線状導体を有し、前記第１の共振器と結合する第２の共振器と、を備えた帯域通過フィルタであって、前記第１の共振器は、その線状導体の第１端を前記誘電体基板の第１面の前記グランド導体に接続する第１面側ビアと、その線状導体の第２端を前記誘電体基板の第２面の前記グランド導体に接続する第２面側ビアと、を備え、前記第２の共振器は、その線状導体の第１端を前記誘電体基板の第２面の前記グランド導体に接続する他の第２面側ビアと、その線状導体の第２端を前記誘電体基板の第１面の前記グランド導体に接続する他の第１面側ビアと、を備えたことを特徴としている。
【０１２０】
第９の態様としては、第７または第８の態様において、前記第１の共振器および前記第２の共振器と外部回路とを接続し、前記第１の共振器と前記第２の共振器が直列接続された第１の入出力線路および第２の入出力線路を備えたことを特徴としている。このため、第１の共振器と第２の共振器は、第１の入出力線路と第２の入出力線路との間に直列接続され、共振器縦続接続フィルタを構成することができる。
【０１２１】
第１０の態様としては、第９の態様において、前記第１の入出力線路は、一方の線路側ビアによって前記誘電体基板の第２面の前記グランド導体に接続され、前記第１の共振器の線状導体に結合され、前記第２の入出力線路は、他方の線路側ビアによって前記誘電体基板の第１面の前記グランド導体に接続され、前記第２の共振器の線状導体に結合されたことを特徴としている。
【０１２２】
このとき、一方の共振器の第１面側ビアと一方の入出力線路の一方の線路側ビアとは、誘電体基板の厚さ方向に対して互いに逆方向に延び、互いに異なるグランド導体に接続されている。同様に、他方の共振器の第２面側ビアと他方の入出力線路の他方の線路側ビアとは、誘電体基板の厚さ方向に対して互いに逆方向に延び、互いに異なるグランド導体に接続されている。この結果、共振器（偶モード共振器）のビアと入出力線路のビアとが互いに同じグランド導体に接続された場合に比べて、共振器の外部Ｑが小さくなり、帯域通過フィルタの比帯域幅を広げることができる。
【０１２３】
第１１の態様としては、第９の態様において、前記一対の入出力線路のうち一方の入出力線路は、前記一方の共振器の線状導体に直接的に接続され、前記一対の入出力線路のうち一方の入出力線路は、前記他方の共振器の線状導体に直接的に接続されたことを特徴としている。これにより、２つの共振器に一対の入出力線路をそれぞれ直接的に結合させることができる。
【０１２４】
第１２の態様の通信装置は、第１ないし第１１のいずれかの態様による帯域通過フィルタを備えている。
【０１２５】
第１３の態様としては、誘電体基板と、前記誘電体基板の第１面および第２面にそれぞれ設けられたグランド導体と、前記誘電体基板に設けられた第１の入出力線路および第２の入出力線路と、を備えた共振器であって、前記誘電体基板の内部に設けられた線状導体と、前記線状導体の両端を前記誘電体基板の第１面および第２面のうち一方の前記グランド導体にそれぞれ接続する一対の第１ビアと、を備え、前記第１の入出力線路は、前記誘電体基板の第１面と第２面のうち前記第１ビアとは異なる他方の前記グランド導体に接続する第２ビアを備え、前記第２の入出力線路は、前記誘電体基板の第１面と第２面のうち前記第１ビアとは異なる他方の前記グランド導体に接続する他の第２ビアを備えたことを特徴としている。
【符号の説明】
【０１２６】
１，１６，２１，４１，５１，５４  帯域通過フィルタ
２  誘電体基板
２Ａ  第１面
２Ｂ  第２面
６，７  グランド導体
８，２２，４２  共振器（第１の共振器）
１０，２５，４５  共振器（第２の共振器）
９，１１，２３，２６，３２，４３，４６  線状導体
９Ａ，１１Ａ，２３Ａ，２６Ａ，３２Ａ，４３Ａ，４６Ａ  第１端
９Ｂ，１１Ｂ，２３Ｂ，２６Ｂ，３２Ｂ，４３Ｂ，４６Ｂ  第２端
１２Ａ，１２Ｂ，２７Ａ，２７Ｂ  ビア（第１ビア）
１３，２８，４８，５２  入出力線路（第１の入出力線路）
１４，２９，４９，５３  入出力線路（第２の入出力線路）
１５Ａ，１５Ｂ，３０Ａ，３０Ｂ  ビア（第２ビア）
３１  共振器（第３の共振器）
３３Ａ，３３Ｂ  ビア（第３ビア）
１７，３４  貫通ビア
４４Ａ，４４Ｂ  ビア（第１面側ビア）
４７Ａ，４７Ｂ  ビア（第２面側ビア）
５０Ａ，５０Ｂ  ビア（線路側ビア）
５５Ａ  ビア（第１面側ビア）
５５Ｂ  ビア（第２面側ビア）
５６Ａ  ビア（他の第２面側ビア）
５６Ｂ  ビア（他の第１面側ビア）
６１  通信装置
６３Ｂ，６３Ｃ  帯域通過フィルタ
【図１】
0006874915.tif 000002
【図２】
0006874915.tif 000003
【図３】
0006874915.tif 000004
【図４】
0006874915.tif 000005
【図５】
0006874915.tif 000006
【図６】
0006874915.tif 000007
【図７】
0006874915.tif 000008
【図８】
0006874915.tif 000009
【図９】
0006874915.tif 000010
【図１０】
0006874915.tif 000011
【図１１】
0006874915.tif 000012
【図１２】
0006874915.tif 000013
【図１３】
0006874915.tif 000014
【図１４】
0006874915.tif 000015
【図１５】
0006874915.tif 000016
【図１６】
0006874915.tif 000017
【図１７】
0006874915.tif 000018
【図１８】
0006874915.tif 000019
【図１９】
0006874915.tif 000020
【図２０】
0006874915.tif 000021
【図２１】
0006874915.tif 000022
【図２２】
0006874915.tif 000023
【図２３】
0006874915.tif 000024
【図２４】
0006874915.tif 000025
【図２５】
0006874915.tif 000026